(57)【要約】  下顎Ｃクランプを提供することを含む、人の顎上に固定基準点を厳密に同定するための方法であって、下顎Ｃクランプは、シャフト、シャフトに堅固に連結された上部プロング、シャフトに沿って動くことができる下部プロング、及び下部プロングをシャフトに選択的に固定するように構成されたウェッジを有する。下顎Ｃクランプの上部プロングは、患者の口の中に挿入される。下顎Ｃクランプの下部プロングは、次いで患者の軟組織を圧縮して患者の顎先上で閉じるためにシャフトに沿って動かされ、下部プロングの位置は、下部プロングがシャフトに沿ってこれ以上動くことができないように、ウェッジを使用してシャフト上に固定される。次いでセンサは、基準点を提供するように下顎Ｃクランプの指定された領域に固定される。【選択図】なし【特許請求の範囲】
【請求項１】
人の顎上に固定基準点を同定するための方法であって、
下顎Ｃクランプを提供するステップであって、前記下顎Ｃクランプは、シャフト、前記シャフトに堅固に連結された上部プロング、前記シャフトに沿って動くことができる下部プロング、及び前記下部プロングを前記シャフトに選択的に固定するように構成されたウェッジを有する、提供するステップと、
前記下顎Ｃクランプの前記上部プロングを患者の口の中に挿入するステップと、
前記下顎Ｃクランプの前記下部プロングを患者の軟組織を圧縮して患者の顎先上で閉じるために前記シャフトに沿って動かすステップと、
前記下部プロングが前記シャフトに沿ってこれ以上動くことができないように、前記ウェッジを使用して前記下部プロングの位置を固定するステップと、
基準点を提供するように前記下顎Ｃクランプの指定された領域にセンサを固定するステップと、を含む方法。
【請求項２】
前記上部プロングは、前記患者の中央下部小帯の隣の下顎の中央に位置付けられる、請求項１に記載の方法。
【請求項３】
前記下部プロングは、前記患者の下顎結合部の真下のオトガイ棘の領域に位置付けられる、請求項１に記載の方法。
【請求項４】
前記上部プロングを挿入する前に局所麻酔を付与するステップをさらに含む、請求項１に記載の方法。
【請求項５】
前記下顎Ｃクランプの前記下部プロングは、患者の顎の奥行きを収容するために調節可能であり、前記方法は、前記患者の顎先上で前記下部プロングを閉じる前に前記下顎Ｃクランプの前記下部プロングを調節するステップを更に含む、請求項１に記載の方法。
【発明の詳細な説明】
【技術分野】
【０００１】
[0001]  本出願及びその開示は、一般に歯科処置のために人の顎を位置付ける分野に関する。
【背景技術】
【０００２】
[0002]  米国特許第９，５７９，０４６号に記載されたように、人の頭の位置は、３Ｄ幾何学的モデリングの記載された方法を使用して明確に決定することができる。しかし、一旦そのような位置が決定されると、人の頭をそのような位置に固定する、又は少なくとも固定基準点を提供することが望ましく、次いでこれによりその後の歯科及び／又は他の処置に使用することができる。換言すると、下顎（mandible）、すなわち下部顎（lower jaw）上にセンサ基準点を提供することが望ましい。
【０００３】
[0003]  頚椎頭蓋は、頭蓋のＣ２、Ｃ１及び底部からなる複合解剖構造である。下顎の動きを測定する現在の技術は、下前歯上に磁石を固定すること、及び顎が開閉運動をする間に磁石がその中で動く磁場枠で軌跡を取り上げることに関与する。下顎は開閉する間に動く全範囲に変換されると、それは検出不可能で測定不可能な頚椎頭蓋の動きに関与することがあり、これは、測定システムがこのような補償を提供しない場合に、偽陽性及び偽陰性の下顎の動く範囲（ＲＯＭ）の結果をもたらす可能性がある。現在市場にある既存のシステムは、頚椎頭蓋の動きに対する補償要素がなく、それらのデータは誤りになる。
【０００４】
[0004]  従って、頚椎頭蓋の動きを補償するセンサ基準点を提供することが望ましい。このようなセンサ基準点は、以下のことを保有するべきである、すなわち、センサ基準点は口の外側に置かれるべきであり、センサ基準点は適用が安価で使用者が使いやすくあるべきであり、センサ基準点は位置決めが単純で予想可能であるべきであり、センサ基準点は全ての感染対策要件に準拠するべきであり、センサ基準点は、一旦位置付けられると動かず、下顎の軌跡が取られている間に動くことなく留まるべきであり、センサ基準点は、試験のために時間が十分あることが可能であるべきであり、センサ基準点は、必要な場合に容易に交換可能であるべきであり、センサ基準点は、全ての患者の状況に（歯の有無に関わらず）快適であるべきである。
【０００５】
[0005]  現在使用中の他の方法及びシステムは、デュアル傾斜計、気泡角度計、Ｘ線写真、コンパス技術、目測、超音波、幾何学法、デジタル光電子機器、パッシブマーカーを使用してコンピュータ化された運動解析、及び赤外線ＴＶカメラ、ＭＲＩ又は頭の配向を決定するために対象者の頭に取り付けられたセンサを利用する。
【０００６】
[0006]  しかし、特定の基準点を同定する際に、使用に十分単純であるか又は十分な正確さをもたらす既存のシステムはない。
【発明の概要】
【０００７】
[0007]  正確で、信頼でき、使用者が使いやすく、低コストで携帯可能な、人の顎上に固定基準点を厳密に同定するための方法を提供することが、本発明の一目的である。
【課題を解決するための手段】
【０００８】
[0008]  その一般的な態様では、方法は、下顎Ｃクランプを提供することを含み、下顎Ｃクランプは、シャフト、シャフトに堅固に連結された上部プロング、シャフトに沿って動くことができる下部プロング、及び下部プロングをシャフトに選択的に固定するように構成されたウェッジを含む。歯科Ｃクランプの上部プロングは、患者の口の中に挿入される。下顎Ｃクランプの下部プロングは、次いで患者の軟組織を圧縮して患者の顎先上で閉じるためにシャフトに沿って動かされ、下部プロングの位置は、下部プロングがシャフトに沿ってこれ以上動くことができないように、ウェッジを使用してシャフト上に固定される。次いでセンサは、基準点を提供するように下顎Ｃクランプの指定された領域に固定される。
【０００９】
[0009]  上の態様、利点及び特徴は、代表的な実施形態のみからなる。それらは、特許請求の範囲によって定義されたように本発明を限定するとみなすべきではないことを理解されたい。本発明の追加の特徴及び利点は、以下の説明において図面から、及び特許請求の範囲から明らかになろう。
【００１０】
[0010]  本発明は、限定されない例、及び参照番号が対応する部品を示す添付の図面の特徴によって例示されている。
【図面の簡単な説明】
【００１１】
【図１】本発明の方法によって利用された下顎Ｃクランプの斜視図である。
【図２】患者の下顎に固定された下顎Ｃクランプの側面図である。
【図３】患者の下顎に固定された下顎Ｃクランプの正面図である。
【図４】本発明の方法によって利用された下顎Ｃクランプの側面図である。
【発明を実施するための形態】
【００１２】
[0015]  添付された図面に例示されたように、本発明の方法は、下顎Ｃクランプを使用することにより人の顎上に固定基準点を同定するのに役立つように設計される。
【００１３】
[0016]  図１及び図４に示されたように、好ましい実施形態では、下顎Ｃクランプ１０は、好ましくは単一使用のプラスチック材料、又はオートクレーブ可能なステンレス鋼から作成された、比較的小さい調節可能な下顎クランプである。Ｃクランプ１０は、好ましくは上部プロング１２、下部プロング１４、シャフト１６及びウェッジ１８を含む。上部プロング１２は口内の構成要素であり、好ましくはシャフト１６の頂部に堅固に固定される。下部プロング１４及びシャフト１６は口外の構成要素であり、この場合、下部プロング１４は、好ましくは人の下顎の様々な高さを収容するためにシャフト１６に沿って垂直方向に動くことができる。シャフト上の下部プロングの位置は、ウェッジ１８を使用して選択的に固定することができる。更に下部プロング１４は、好ましくは人の下顎の様々な奥行きを収容するために長さを調節することができる。
【００１４】
[0017]  本発明の方法は、最も厳密な診断分析を生み出すために、下顎が動いている間に頚椎頭蓋の動きを補償する。方法は、固定基準点及び制御点の発見及び登録を利用し、それらからシステムは以下のセンサ、すなわち（１）耳珠−眼窩線（基準点として）によって生成された耳珠−眼窩面、より具体的にはその開示が参照により本明細書に組み込まれている、米国特許第９，５７９，０４６号に記載されている、及び（２）下顎上のセンサ点（下顎の動きを追跡するための測定点として）を利用して測定結果を取ることができる。
【００１５】
[0018]  使用時に、リドカインゲルが、まず中央下部小帯の領域を麻痺させるためにその領域に塗布される。一旦ゲルが塗布されると、その領域は滅菌ガーゼで覆われる。図２及び図３に示されたように、上部プロング１２は、次いで患者の口の中に挿入されてガーゼの上に位置付けられる。次いで下部プロング１４は、軟組織を緩やかに圧縮して顎先上で閉じるために、シャフト１６に沿って動かされる。患者の顎先上で閉じる前に、下部プロングは、患者の顎先を収容するように調節する（すなわち拡大又は縮小する）ことができる。最後に、ウェッジは取付具を固定するためにその点に適用される。
【００１６】
[0019]  クランプは、好ましくは頂側面上の中央下部小帯の隣の下顎の中央、及び下顎結合部の真下のオトガイ棘の領域に位置付けられる。リドカインスプレーによる麻酔は局所に塗布することができるが、クランプの位置付けのために必要なことはほとんどない。
【００１７】
[0020]  中央小帯から延在し、顎先上の領域に延在する下顎へのあらゆる軟組織の口内取付具は、様々な下顎の動きによって生体力学的に影響を受けず、様々な下顎の動きは、クランプが圧縮を継続するならば、その場所に位置付ける固定取付具に影響を及ぼさないことが、経験的に研究されて結論付けられる。ウェッジ１８はこの必要な圧縮を提供する。
【００１８】
[0021]  ３軸センサ２０は、次いでＣクランプ上の特定の指定された領域に固定することができる。センサ２０は、好ましくは３Ｄアクシオメータである。従って較正手順の後、下顎の動きの診断追跡は、いかなる誤りもなしに実際の３Ｄを取ることができる。結果として、本発明の方法は、人の顎上に固定基準点を厳密に信頼できる同定をする。方法は、厳密性を脅かすことなく繰り返し使用することができる。その上、方法は、患者が歯を有しているかどうかに関わらず使用することができる。
【００１９】
[0022]  前述の本明細書では、本発明は、その特定の例示的実施形態を参照して記載されている。しかし以下の特許請求の範囲に説明されたように、本発明の広範囲の精神及び範囲から逸脱することなく、様々な修正及び変更をそれに行ってもよいことが明らかになろう。本明細書及び図面は、従って限定的意味よりむしろ例示的手法とみなすべきである。
【図１】
2021509595.tif 000002
【図２】
2021509595.tif 000003
【図３】
2021509595.tif 000004
【図４】
2021509595.tif 000005
【国際調査報告】
2021509595.tif 000006